(57)【要約】【課題】バストの高い造形性と楽な着用感との両立を可能とするカップ部を有する衣類を提供する。【解決手段】本発明の一実施形態に係るカップ部を有する衣類１は、バストを覆うための一対のカップ部１２と、バストを前中心に向けて引き寄せるための一対の引寄部２０とを有する衣類において、一対の引寄部２０は、それぞれ、左右方向に連結する第１部分２２と第２部分２４とを有している。第１部分２２は、第２部分２４より弱い伸縮性を有しており、カップ部１２を左右方向に分割してなる脇側部分、中央部分及び前中心部分のうちの脇側部分に固着され、第２部分２４は、左右方向に伸縮性を有しており、第１部分２２から前中心へ向けて延びて、一対の引寄部２０におけるもう一つの第２部分２４と互いに係合する。【選択図】図１
2010236132.tif 000002
【特許請求の範囲】
【請求項１】
バストを覆うための一対のカップ部と、前記バストを前中心に向けて引き寄せるための一対の引寄部とを有する衣類において、
前記一対の引寄部は、それぞれ、左右方向に連結する第１部分と第２部分とを有し、
前記第１部分は、前記第２部分より弱い伸縮性を有しており、前記カップ部を前記左右方向に分割してなる脇側部分、中央部分及び前中心部分のうちの前記脇側部分に固着され、
前記第２部分は、前記左右方向に伸縮性を有しており、前記第１部分から前記前中心へ向けて延びて、前記一対の引寄部におけるもう一つの第２部分と互いに係合する、
カップ部を有する衣類。
【請求項２】
前記引寄部における前記第２部分では、前記カップ部を前記バスト側に押えつける力が上から下に向けて次第に強くなっている、
請求項１に記載のカップ部を有する衣類。
【請求項３】
前記引寄部における前記第２部分は、前記第１部分から前記前中心に向けて次第に幅が狭くなるように、底辺がバージスラインに沿う略三角形をなしている、
請求項２に記載のカップ部を有する衣類。
【請求項４】
前記カップ部に連結する肩紐部を更に備え、
前記引寄部における前記第２部分の一端は、前記バージスラインの最下部近傍から、前記肩紐部の取付部近傍へ向けた略３／４までの範囲にかけて前記第１部分に縫着されており、
前記引寄部における前記第２部分の他端は、左右のバージスラインの最下部を結ぶ最下線とバストトップとの垂線における前記最下線から略２／３までの範囲に対応する前記前中心の位置で、前記一対の引寄部におけるもう一つの第２部分と互いに係合する、
請求項３に記載のカップ部を有する衣類。
【請求項５】
前記カップ部に連結する肩紐部を更に備え、
前記カップ部における前記脇側部分と前記中央部分との境界は、前記肩紐部の取付部近傍とバージスラインの最下部近傍とを結ぶラインである、
請求項１に記載のカップ部を有する衣類。
【請求項６】
前記引寄部は、前記第２部分における前中心側の端部に位置し、前記一対の引寄部における前記第２部分を互いに係合する係合部を更に有する、
請求項１〜５の何れか１項に記載のカップ部を有する衣類。
【請求項７】
前記引寄部における前記係合部を係止するために係止部を更に備える、
請求項６に記載のカップ部を有する衣類。
【発明の詳細な説明】
【技術分野】
【０００１】
本発明は、バストを覆うためのカップ部を有する衣類に関するものである。
【背景技術】
【０００２】
特許文献１〜３には、バストを覆うためのカップ部を有する衣類として、ブラジャーが開示されている。これらのブラジャーは、バストの寄せ効果や押し上げ効果を高めるために、左右のカップ部を前中心に向かって寄せるための寄せ部材を備えている。この寄せ部材は、一端をカップ脇部及び土台部に固着し、他端を前中心部に向かって幅が狭くなるように延長させて互いに結合している。
【先行技術文献】
【特許文献】
【０００３】
【特許文献１】特開２００７−３２１２４９号公報
【特許文献２】登録実用新案第３１１８０２９号公報
【特許文献３】登録実用新案第３１１８９３１号公報
【発明の概要】
【発明が解決しようとする課題】
【０００４】
ところで、カップ部を有する衣類において、バストの寄せ上げ等の造形性を高めると、バスト以外の部分においても強い締め付け感をユーザに与えることがある。例えば、特許文献１〜３に記載のブラジャーでも、バックベルト部の縫着部及び肩紐部の縫着部において寄せ部材を縫着しているので、バックベルト部や肩紐部において締め付け感をユーザに与えてしまう。
【０００５】
そこで、本発明は、バストの高い造形性と楽な着用感との両立を可能とするカップ部を有する衣類を提供することを目的としている。
【課題を解決するための手段】
【０００６】
本発明のカップ部を有する衣類は、バストを覆うための一対のカップ部と、バストを前中心に向けて引き寄せるための一対の引寄部とを有する衣類において、一対の引寄部は、それぞれ、左右方向に連結する第１部分と第２部分とを有している。第１部分は、第２部分より弱い伸縮性を有しており、カップ部を左右方向に分割してなる脇側部分、中央部分及び前中心部分のうちの脇側部分に固着され、第２部分は、左右方向に伸縮性を有しており、第１部分から前中心へ向けて延びて、一対の引寄部におけるもう一つの第２部分と互いに係合する。
【０００７】
このカップ部を有する衣類によれば、引寄部における第２部分が、左右方向に伸縮性を有するので、バストを前方向に引き寄せるように作用する。一方、引寄部における第１部分は、カップ部の脇側部分に固着されており、第２部分より伸縮性が弱いので、バストの脇側部分を押さえるように作用する。したがって、第２部分による引き寄せ力を、第１部分からバストの脇側部分へ効率よく伝えることができ、バストの造形性を高めることができる。
【０００８】
また、第１部分によって、第２部分による引き寄せ力をバストに効率よく伝えるので、この第２部分による引き寄せ力が衣類における他の部分に伝わることを抑制することができ、衣類における他の部分による締め付け感を抑制することができる。例えば、バックベルト部を有するブラジャーにおいて、第２部分による引き寄せ力がバックベルト部に伝わることを抑制することができ、バックベルト部による締め付け感を抑制することができる。したがって、このカップ部を有する衣類によれば、バストの高い造形性と楽な着用感とを両立することができる。
【０００９】
上記した引寄部における第２部分では、カップ部をバスト側に押えつける力が上から下に向けて次第に強くなっていることが好ましい。これによれば、引寄部が下側からバストを押し上げるように作用するので、バストの造形性をより高めることができる。
【００１０】
上記した引寄部における第２部分は、第１部分から前中心に向けて次第に幅が狭くなるように、底辺がバージスラインに沿う略三角形をなしていることが好ましい。これによれば、第２部分の左右方向の長さが、上から下に向けて次第に短くなる。その結果、第２部分の伸縮性が上から下に向けて次第に弱くなることとなり、第２部分によってカップ部をバスト側に押えつける力が上から下に向けて次第に強くなることとなる。したがって、上記したように、バストの造形性をより高めることができる。
【００１１】
上記したカップ部を有する衣類は、カップ部に連結する肩紐部を更に備え、上記した引寄部における第２部分の一端は、バージスラインの最下部近傍から、肩紐部の取付部近傍へ向けた略３／４までの範囲にかけて第１部分に縫着されており、引寄部における第２部分の他端は、左右のバージスラインの最下部を結ぶ最下線とバストトップとの垂線における最下線から略２／３までの範囲に対応する前中心の位置で、一対の引寄部におけるもう一つの第２部分と互いに係合することが好ましい。これによれば、第２部分が、第１部分から前中心に向けて次第に幅が狭くなるように、底辺がバージスラインに沿う略三角形をなすこととなる。したがって、上記したように、バストの造形性をより高めることができる。
【００１２】
上記したカップ部を有する衣類は、カップ部に連結する肩紐部を更に備え、上記したカップ部における脇側部分と中央部分との境界は、肩紐部の取付部近傍とバージスラインの最下部近傍とを結ぶラインであることが好ましい。これによれば、バストの寄せ上げに効果的なバストの脇側部分を効率よく押さえることができる。したがって、上記したように、バストの造形性をより高めることができる。また、上記したように、第２部分による引き寄せ力が衣類における他の部分に伝わることをより抑制することができ、衣類における他の部分による締め付け感をより抑制することができる。
【００１３】
上記した引寄部は、第２部分における前中心側の端部に位置し、一対の引寄部における第２部分を互いに係合する係合部を更に有することが好ましい。これによれば、衣類を着用して第１部分によってバストの脇側部分を押さえた後に、第２部分を係合してバストの脇側部分から前中心へ向けて効率よくバストのみを引き寄せ、かつ押し上げることができる。したがって、バストの造形性をより高めることができると共に、衣類における他の部分による締め付け感をより抑制することができる。
【００１４】
上記したカップ部を有する衣類は、引寄部における係合部を係止するために係止部を更に備えることが好ましい。これによれば、引寄部における係合部を係合しない着用において、係合部及び第２部分が邪魔にならないように係止することができる。
【発明の効果】
【００１５】
本発明によれば、カップ部を有する衣類において、バストの高い造形性と楽な着用感との両立を可能とする。
【図面の簡単な説明】
【００１６】
【図１】本発明の実施形態に係るブラジャーを示す斜視図である。
【図２】図１に示すブラジャーを分解して示す分解斜視図である。
【図３】図１に示す引寄部における係合部を拡大して示す図である。
【図４】図１に示すブラジャーの係止状態を示す図である。
【図５】本発明の変形例１に係るブラジャーを示す図である。
【図６】図５に示すブラジャーの係止状態を示す図である。
【図７】本発明の変形例２に係るブラジャーを示す図である。
【図８】図７に示すブラジャーの係止状態を示す図である。
【図９】図７に示す係止部を拡大して示す図である。
【図１０】本発明の変形例３に係るブラジャーを示す図である。
【図１１】図１０に示すブラジャーの係止状態を示す図である。
【図１２】本発明の変形例４に係るブラジャーを示す図である。
【図１３】本発明の変形例５に係るブラジャーを示す図である。
【図１４】図１３に示すブラジャーの係合部を詳細に示す図である。
【図１５】本発明の変形例６に係るブラジャーを示す図である。
【図１６】図１５に示すブラジャーの係合部を拡大して示す図である。
【図１７】本発明の変形例７に係るブラジャーを示す図である。
【図１８】図１７に示すブラジャーの前中心部分を拡大して示す図である。
【発明を実施するための形態】
【００１７】
以下、図面を参照して本発明のカップ部を有する衣類の好適な実施形態について詳細に説明する。
【００１８】
図１は、本発明の実施形態に係るブラジャーを示す斜視図であり、図２は、図１に示すブラジャーを分解して示す分解斜視図である。このブラジャー１は、本体部１０と、一対の引寄部２０と、一対の係止部３０とを備えている。なお、ブラジャー１は左右略対称であるので、以下では左右の一方のみによって説明する。
【００１９】
本体部１０は、カップ部１２と、土台部１４と、バックベルト部１６と、肩紐部１８とを有している。
【００２０】
カップ部１２は、バストを覆うためのものであり、土台部１４に支持されている。土台部１４は、非伸縮性の布からなっており、カップ部１２の下部から脇側にかけてカップ部１２と縫着されている。土台部１４の脇側には、バックベルト部１６が縫着されている。バックベルト部１６は、伸縮性の布からなっており、背中において連結することによって、土台部１４及びカップ部１２を支持するためのものである。また、カップ部１２の脇側上部には、肩紐部１８が縫着されている。肩紐部１８は、伸縮性の布からなっており、肩を介してバックベルト部１６に連結されることによって、カップ部１２を支持するためのものである。
【００２１】
また、カップ部１２と土台部１４との境界には、すなわち、バージスラインに沿ってカップワイヤー４０が装着されている。なお、カップワイヤー４０は必ずしも備えなくてもよい。また、カップ部１２の表側には、引寄部２０が設けられている。
【００２２】
引寄部２０は、バストを前中心に向けて引き寄せるためのものであり、第１部分２２と、第２部分２４と、係合部２６とを有している。
【００２３】
第１部分２２は、カップ部１２を左右方向に３分割してなる脇側部分１２ａ、中央部分１２ｂ及び前中心部分１２ｃのうちの脇側部分１２ａに縫着されている。例えば、第１部分２２は、脇側部分１２ａの縁を一周するように縫着されている。この第１部分２２の伸縮性は、第２部分２４の伸縮性より弱くなっている。例えば、第１部分２２には、第２部分よりＳＳ曲線傾斜が小さい素材が適用されている。なお、第１部分２２には、非伸縮性の部材が適用されてもよい。これにより、第１部分２２は、バストの脇側部分を押さえるように作用する。
【００２４】
本実施形態では、カップ部１２において、肩紐部１８の取付部１２ｄ近傍とバージスラインの最下部１２ｅ近傍とを結ぶラインを、脇側部分１２ａと中央部分１２ｂとの境界としている。これにより、バストの寄せ上げに効果的なバストの脇側部分を効率よく押さえることができる。この第１部分２２の前中心側には、第２部分２４が縫着されている。
【００２５】
第２部分２４は、第１部分２２から前中心へ向けて延びており、係合部２０によって、左右の引寄部のうちのもう一方の第２部分と前中心で互いに係合可能になっている。この第２部分２４は、カップ部１２に対して遊離しており、左右方向に伸縮性を有している。これにより、第２部分２４は、バストを前中心方向に引き寄せるように作用する。
【００２６】
第２部分２４の一端は、バージスラインの最下部１２ｅ近傍から、肩紐部１８の取付部１２ｄ近傍へ向けた約３／４までの範囲１２ｆ近傍にかけて第１部分２２に縫着されていることが好ましい。一方、第２部分２４の他端、すなわち、係合部２０は、左右のバージスラインの最下部１２ｅを結ぶ最下線とバストトップ１２ｇとの垂線における最下線から約２／３までの範囲１２ｈに対応する前中心の位置で係合することが好ましい。
【００２７】
換言すれば、第２部分２４は、第１部分２２から前中心に向けて次第に幅が狭くなるように、底辺がバージスラインに沿った略三角形をなしていることが好ましい。これにより、第２部分２４の左右方向の長さが、図２に示す矢印の向きに、すなわち、上から下に向けて次第に短くなることとなる。その結果、第２部分２４の左右方向の伸縮性が上から下に向けて次第に弱くなることとなる。なお、第２部分２４は、伸縮性の異なる素材を上下方向に繋ぎ合わせることによって、左右方向の伸縮性を上から下に向けて次第に弱くなるようにしてもよい。これにより、第２部分２４では、カップ部１２をバスト側に押えつける力が上から下に向けて次第に強くなることとなり、第２部分２４は、下側でバストを強く引き寄せて、かつ押し上げるように作用する。この第２部分２４の前中心側の端部には、係合部２６が連結されている。
【００２８】
図３に、係合部２６を拡大して示す。係合部２６は、左右の引寄部２０を前中心において係合するためのものであり、左右の係合部２６はそれぞれ雄雌の関係を有している。係合部２０には、図３（ａ）に示すように、フロントホックブラジャーに広く用いられるホックであって、９０度回転させて上下方向に噛み合わせ、逆回転方向に９０度戻すことによって固定するホックが適用可能である。また、図３（ｂ）に示すように、係合部２０には、肩紐部１８とカップ部１２やバックベルト部１６との連結に広く用いられるＺ金具（Ｚカンともいう。）と生地折り返し縫着によるＺ金具受部との組み合わせなども適用可能である。
【００２９】
本実施形態では、引寄部２０における係合部２６が係合していないときに、係止部３０によって係合部２６を係止・収納可能になっている。係止部３０としては、ポケットが適用可能である。この場合、図４に示すように、係止部３０は、伸縮性を有する布であり、カップ部１２における前中心部分１２ｃの表側に、脇側が開口するように縫着されている。このようにして、係止部３０とカップ部１２とからなるポケットが形成され、このポケットに係合部２６及び第２部分２４を収納することによって、係合部２６及び第２部分２４を係止することができる。
【００３０】
このように、本実施形態のブラジャー１によれば、引寄部２０における第２部分２４が、左右方向に伸縮性を有するので、バストを前方向に引き寄せるように作用する。一方、引寄部２０における第１部分２２は、カップ部１２の脇側部分１２ａに縫着されており、第２部分２４より伸縮性が弱いので、バストの脇側部分を押さえるように作用する。したがって、第２部分２４による引き寄せ力を、第１部分２２からバストの脇側部分へ効率よく伝えることができ、バストの造形性を高めることができる。
【００３１】
また、本実施形態のブラジャー１によれば、第２部分２４によってカップ部１２をバスト側に押えつける力が上から下に向けて次第に強くなっているので、引寄部２０が下側からバストを押し上げるように作用し、バストの造形性をより高めることができる。
【００３２】
また、本実施形態のブラジャー１によれば、第１部分２２によって、第２部分２４による引き寄せ力をバストに効率よく伝えるので、第２部分２４による引き寄せ力がバックベルト部１６及び肩紐部１８に伝わることを抑制することができ、バックベルト部１６及び肩紐部１８による締め付け感を抑制することができる。したがって、本実施形態のブラジャー１によれば、バストの高い造形性と楽な着用感とを両立することができる。
【００３３】
更に、本実施形態のブラジャー１によれば、引寄部２０に係合部２６を備えているので、本体部１０を着用して第１部分２２によってバストの脇側部分を押さえた後に、第２部分２４を係合してバストの脇側部分から前中心へ向けて効率よくバストのみを引き寄せ、かつ押し上げることができる。したがって、バストの造形性をより高めることができると共に、バックベルト部１６及び肩紐部１８による締め付け感をより抑制することができる。
【００３４】
更に、本実施形態のブラジャー１によれば、係止部３０を備えているので、引寄部２０を係合しない着用において、すなわち、バストを引き寄せないときに、係合部２６及び第２部分２４が邪魔にならないように係止することができる。
【００３５】
本実施形態では、係合部２６としてホックを例示し、係止部３０としてポケットを例示したが、上記したように、係合部２６及び係止部３０には、様々な態様が適用可能である。以下では、係合部及び係止部のいくつかの変形例を示す。なお、各図面において同一又は相当の部分に対しては同一の符号を附すこととする。
［係合部及び係止部の変形例１］
【００３６】
図５は、本発明の変形例１に係るブラジャーを示す図であり、図６は、図５に示すブラジャーの係止状態を示す図である。この変形例１のブラジャー１Ａは、ブラジャー１において係止部３０に代えて係止部３０Ａを備える構成で上記した実施形態と異なっている。
【００３７】
係止部３０Ａは、係止部３０において、脇側の開口に加えて、前中心側にも開口を有している。これにより、引寄部２０における係合部２６及び第２部分２４は、係止部３０Ａとカップ部１２との間に係止された状態で係合することができる。また、係合部２６の係合を解除した際には、引寄部２０の戻ろうとする力によって、係合部２６を係止部３０Ａの開口付近に自律的に係止させることができる。
［係合部及び係止部の変形例２］
【００３８】
図７は、本発明の変形例２に係るブラジャーを示す図であり、図８は、図７に示すブラジャーの係止状態を示す図である。この変形例２のブラジャー１Ｂは、ブラジャー１において係止部３０に代えて係止部３０Ｂを備える構成で上記した実施形態と異なっている。
【００３９】
図９に、係止部３０Ｂを拡大して示す。係止部３０Ｂは、係合部２６と雌雄の関係を有する上記したホックや、上記したＺ金具及びＺ金具受部のうちの一方であり、カップ部１２における前中心側の縁部に連結されている。例えば、係止部３０Ｂは、カップ部１２における前中心側の縁部に縫着されたタブに連結されている。このようにして、引寄部２０における係合部２６を係合しない着用において、係合部２６及び第２部分２４が邪魔にならないように係止することができる。
［係合部及び係止部の変形例３］
【００４０】
図１０は、本発明の変形例３に係るブラジャーを示す図であり、図１１は、図１０に示すブラジャーの係止状態を示す図である。この変形例３のブラジャー１Ｃは、ブラジャー１Ａにおいて引寄部２０に代えて引寄部２０Ｃを備える構成で上記した変形例１と異なっている。
【００４１】
引寄部２０Ｃは、引寄部２０において係合部２６に代えて係合部２６Ｃを備えている構成で引寄部２０と異なっている。係合部２６Ｃは、リボン状の紐であり、その一端部が第２部分２４の前中心側の一端部に縫着されている。この変形例２では、左右の係合部２６Ｃのリボン状の紐を互いに前中心で結ぶことによって係合可能となる。
【００４２】
この変形例３でも、引寄部２０Ｃにおける係合部２６Ｃ及び第２部分２４は、係止部３０Ａとカップ部１２との間に係止された状態で係合することができる。また、係合部２６Ｃの係合を解除した際には、引寄部２０Ｃの戻ろうとする力によって、係合部２６Ｃを係止部３０Ａの開口付近に自律的に係止させることができる。なお、この係止状態でも、係合部２６Ｃを楽な着用感の位置で結ぶことが好ましい。
【００４３】
また、この変形例３では、左右の係合部２６Ｃを係合する際、結ぶ位置を調節することによってバストの引き寄せ度合い、すなわち、バストの造形度合いを調節することができる。
［係合部及び係止部の変形例４］
【００４４】
図１２は、本発明の変形例４に係るブラジャーを示す図である。このブラジャー１Ｄは、ブラジャー１Ｃにおいて係止部３０Ａを備えない構成で上記した変形例３と異なっている。
【００４５】
この変形例４では、引寄部２０Ｃにおける係合部２６Ｃが、係止手段としての機能を有している。例えば、係合部２６Ｃの係合を解除した際には、上記したように、係合部２６Ｃを楽な着用感の位置で結ぶことによって係止することができる。また、この変形例４でも、上記したように、左右の係合部２６Ｃを係合する際、バストの造形度合いを調節することができる。
［係合部及び係止部の変形例５］
【００４６】
図１３は、本発明の変形例５に係るブラジャーを示す図であり、図１４は、図１３に示すブラジャーの係合部を詳細に示す図である。この変形例５のブラジャー１Ｅは、ブラジャー１Ｄにおいて係合部２７を更に備える構成で上記した変形例４と異なっている。
【００４７】
係合部２７は、リボン状の紐であり、その一端部が土台部１４の前中心部に縫着されている。この変形例５では、係合部２７のリボン状の紐と係合部２６Ｃのリボン状の紐とを結ぶことによって係合可能となる。
【００４８】
また、この変形例５では、引寄部２０Ｃにおける係合部２６Ｃと係合部２７とが、係止手段としての機能を有している。例えば、係合部２６Ｃと係合部２７との係合を解除した際には、上記と同様に、係合部２６Ｃと係合部２７とを楽な着用感の位置で結ぶことによって係止することができる。また、この変形例５でも、上記したように、左右の係合部２６と係合部２７とを係合する際に結ぶ位置を調節したり、左右の係合部２６同士を結んだりと、左右の係合部２６と左右の係合部２７との４本のリボン状の紐の組合せを変えることによってバストの引き寄せ度合い、すなわち、バストの造形度合いを調節することができる。
［係合部及び係止部の変形例６］
【００４９】
図１５は、本発明の変形例６に係るブラジャーを示す図であり、図１６は、図１５に示すブラジャーの係合部を拡大して示す図である。この変形例６のブラジャー１Ｆは、ブラジャー１Ｄにおいて引寄部２０Ｃに代えて引寄部２０Ｆを備えている構成で変形例４と異なっている。
【００５０】
引寄部２０Ｆは、引寄部２０Ｃにおいて係合部２６Ｃに代えて係合部２６Ｆを備えている構成で引寄部２０Ｃと異なっている。係合部２６Ｆは、上記したＺ金具とＺ金具受部、及びテープを含んでいる。例えば、左右の係合部２６Ｆの一方は、テープを介して第２部分２４に縫着されたＺ金具を含み、左右の係合部２６Ｆの一方は、第２部分２４に一端が縫着されたテープの他端を折り返して縫着仕切りを設け、左右方向に並ぶ複数のＺ金具受部を含む。
【００５１】
この変形例６でも、引寄部２０Ｆにおける係合部２６Ｆが、係止手段としての機能を有している。例えば、係合部２６Ｆの係合を解除した際には、係合部２６Ｆを楽な着用感の位置で係合することによって係止することができる。この変形例６では、係合部２６Ｆにおける左右方向に並ぶ複数のＺ金具受部の何れを選択するかによって、バストの引き寄せ度合い、すなわち、バストの造形度合いを調節することができる。
［係合部及び係止部の変形例７］
【００５２】
図１７は、本発明の変形例７に係るブラジャーを示す図である。このブラジャー１Ｇは、ブラジャー１において引寄部２０に代えて引寄部２０Ｇを備えており、係止部３０を備えない構成で本実施形態と異なっている。
【００５３】
引寄部２０Ｇは、引寄部２０において係合部２６を備えない構成で引寄部２０と異なっている。この引寄部２０Ｇでは、左右の第２部分２４の端部が前中心で縫着されている。なお、図１８（ａ）に示すように、この縫着部は、リボン等の飾り５１を用いて土台部１４に係止されることが好ましい。これにより、引寄部２０の位置を安定させることができる。
【００５４】
また、図１８（ｂ）に示すように、左右の第２部分２４が、リング状の飾り５２を介して前中心で係合していてもよい。この場合、左右の第２部分２４の端部は、リング状の飾り５２に折り返し縫着されていればよい。
【００５５】
なお、本発明は上記した本実施形態及び変形例に限定されることなく種々の変形が可能である。本実施形態及び変形例では、カップワイヤー４０を備えるブラジャーを例示したが、本実施形態及び変形例の特徴は、上記したように、カップワイヤーを備えないノンワイヤータイプのブラジャーにも適用可能である。
【００５６】
また、本実施形態及び変形例では、バックベルト部１６の後端をホック等で掛け留めするタイプのブラジャーを例示したが、本実施形態及び変形例の特徴は、前中心において土台部１４の左右を分離してホック等で掛け留めするフロントホックタイプのブラジャーにも適用可能である。
【００５７】
また、本実施形態及び変形例の特徴は、フルカップブラジャー、３／４カップブラジャー及び１／２カップブラジャー等のすべてのタイプのブラジャーに適用可能である。
【００５８】
また、本実施形態及び変形例の特徴は、ブラジャー以外でも、ブラスリップ、ブラキャミソール、ボディスーツ、カップ付きテディ、水着等のようにカップ部を備える衣類であればすべてに適用可能である。
【実施例１】
【００５９】
図１に示す本発明の実施形態のブラジャー１を実施例として製作し、１０歳代後半〜４０歳代のモニタ１６名による評価を行った。この評価では、実施例と従来品との対比評価を行った。
【００６０】
ここで、本実施例に対して対比を行った従来品は、出願人及び他社の商品であって、いずれも１０歳代後半〜４０歳代の女性に好まれているものであり、高い造形性を有するブラジャーにおける主要な商品である。これらの従来品の特徴及び仕様は次のとおりである。
従来品Ａ：「楽な造形タイプ」とされており、アンダーの締め付けが弱いと共にバックベルト部がヘム（無縫製）で楽な着心地感を比較的優先し、自然な造形性によりきれいなバストラインに整えるタイプである。３／４カップタイプであり、パッドを備えない。
従来品Ｂ：「脇スッキリでバストアップタイプ」とされており、バック脇をしっかりサポートしてバストアップさせる、すなわち、寄せ・上げ・脇押さえ等のバスト造形性を比較的優先するタイプである。３／４カップタイプであり、パッドを備える。
従来品Ｃ：「脇スッキリで谷間メイクアップ」とされており、バック脇のシートとカップ脇のパネルとでサイドからすっきりさせて、谷間をつくる比較的バスト造形性を優先するタイプである。３／４カップタイプであり、パッドを備える。
【００６１】
本評価では、それぞれ、本発明の実施例と各従来品とを対比して、どちらが優れていると感じたかを問うた。この評価結果を表１に示す。表１では、本発明の実施例が優れているとの回答を丸印で、どちらともいえないとの回答を三角印で、従来品の方がよいとの回答をばつ印で示している。
【表１】
2010236132.tif 000003
【００６２】
この評価結果によれば、造形性、すなわち、バストの形が、従来の造形機能を有するブラジャーを着けた場合よりも良くなったと感じる人数が、どの製品に対しても多かった。この造形性の優劣において着目すべきは、全年齢層において造形性で評価が高い従来品Ｂ及びＣよりも本発明の実施例の評価が高い点である。
【００６３】
また、着用感、すなわち、着け心地が、従来のブラジャーを着けた場合よりも楽で快適と感じる人数が、どの製品に対しても多かった。この着用感の優劣において着目すべきは、楽な造形性で快適な着心地として評価が高い従来品Ａよりも本発明の実施例の評価が高い点である。
【００６４】
このように、この評価結果によれば、本発明の実施例は、高い造形性と楽な着用感とを両立するブラジャーであると言える。更に、各従来品よりも本発明の実施例を着用したいと感じる人数が多く、１０歳代後半〜４０歳代の幅広い年齢層に好評を得た。
【符号の説明】
【００６５】
１，１Ａ，１Ｂ，１Ｃ，１Ｄ，１Ｅ，１Ｆ，１Ｇ…ブラジャー（カップ部を有する衣類）、１０…本体部、１２…カップ部、１２ａ…脇側部分、１２ｂ…中央部分、１２ｃ…前中心部分、１２ｄ…肩紐部の取付部、１２ｅ…バージスラインの最下部、１２ｆ…範囲、１２ｇ…バストトップ、１２ｈ…範囲、１４…土台部、１６…バックベルト部、１８…肩紐部、２０，２０Ｃ，２０Ｆ，２０Ｇ…引寄部、２２…第１部分、２４…第２部分、２６，２６Ｃ，２６Ｆ，２７…係合部、３０，３０Ａ，３０Ｂ…係止部、４０…カップワイヤー、５１…リボン状の飾り、５２…リング状の飾り。
【図１】
2010236132.tif 000004
【図２】
2010236132.tif 000005
【図３】
2010236132.tif 000006
【図４】
2010236132.tif 000007
【図５】
2010236132.tif 000008
【図６】
2010236132.tif 000009
【図７】
2010236132.tif 000010
【図８】
2010236132.tif 000011
【図９】
2010236132.tif 000012
【図１０】
2010236132.tif 000013
【図１１】
2010236132.tif 000014
【図１２】
2010236132.tif 000015
【図１３】
2010236132.tif 000016
【図１４】
2010236132.tif 000017
【図１５】
2010236132.tif 000018
【図１６】
2010236132.tif 000019
【図１７】
2010236132.tif 000020
【図１８】
2010236132.tif 000021